(57)【特許請求の範囲】
【請求項１】
建築構造物の柱を構成する筒状の柱部材と、
前記柱部材の下端面に接合し、前記柱部材の内部空間に連通する開口部が形成され、アンカーボルトを介して基礎コンクリート上面に設置される柱脚金物と、
上部が前記基礎コンクリート上方に突出し、下部が前記基礎コンクリート中に埋設される中間補強部材とを備え、
前記開口部を貫通して前記内部空間に挿入された前記中間補強部材の上部外周面と前記柱部材の内周面との間の空間にグラウト材が充填され、
前記中間補強部材の下部にはその下端部から上方に向かって伸びる開口部が形成され、この開口部に前記基礎コンクリート中に配筋された鉄筋が挿通された
ことを特徴とする柱脚構造。
【請求項２】
建築構造物の柱を構成する筒状の柱部材と、
前記柱部材の下端面に接合し、前記柱部材の内部空間に連通する開口部が形成され、アンカーボルトを介して基礎コンクリート上面に設置される柱脚金物と、
上部が前記基礎コンクリート上方に突出し、下部が前記基礎コンクリート中に埋設される中間補強部材とを備え、
前記開口部を貫通して前記内部空間に挿入された前記中間補強部材の上部外周面と前記柱部材の内周面との間の空間にグラウト材が充填され、
前記中間補強部材の下部の下端部に下方に向かって伸びる複数の脚部が設けられ、前記複数の脚部同士の間に前記基礎コンクリート中に配筋された鉄筋が配筋された
ことを特徴とする柱脚構造。
【請求項３】
建築構造物の柱を構成する筒状の柱部材と、
前記柱部材の下端面に接合し、前記柱部材の内部空間に連通する開口部が形成され、アンカーボルトを介して基礎コンクリート上面に設置される柱脚金物と、
上部が前記基礎コンクリート上方に突出し、下部が前記基礎コンクリート中に埋設される中間補強部材とを備え、
前記開口部を貫通して前記内部空間に挿入された前記中間補強部材の上部外周面と前記柱部材の内周面との間の空間にグラウト材が充填され、
前記中間補強部材に嵌合する嵌合孔を有し、前記基礎コンクリート中に配筋される鉄筋と連結する仲介連結部材を備えた
ことを特徴とする柱脚構造。
【請求項４】
建築構造物の柱を構成する筒状の柱部材と、
前記柱部材の下端面に接合し、前記柱部材の内部空間に連通する開口部が形成され、アンカーボルトを介して基礎コンクリート上面に設置される柱脚金物と、
上部が前記基礎コンクリート上方に突出し、下部が前記基礎コンクリート中に埋設される中間補強部材とを備え、
前記開口部を貫通して前記内部空間に挿入された前記中間補強部材の上部外周面と前記柱部材の内周面との間の空間にグラウト材が充填され、
前記中間補強部材が、前記基礎コンクリート中に配置された鉄骨部材に接合されている
ことを特徴とする柱脚構造。
【請求項５】
前記柱脚金物は複数の平板状部材に分割された構成となっていることを特徴とする請求項１から４のいずれかに記載の柱脚構造。
【発明の詳細な説明】
【技術分野】
【０００１】
本発明は、建築構造物の柱部材を基礎コンクリート上に立設する柱脚構造に関するものである。
【背景技術】
【０００２】
図１３は、従来の柱脚構造２を示す側面図である。この従来の柱脚構造２は、その上面に鉄骨柱４の下端面が接合された板状の柱脚金物６を備えている。この柱脚金物６は、基礎コンクリート１０上に載置され、この基礎コンクリート１０の上面よりも上方に突出するアンカーボルト１４の上端部が、柱脚金物６に形成されたボルト用孔８を貫通して、ナット１６とねじ締結することにより、鉄骨柱４が基礎コンクリート１０の上に立設して固定されるようになっていた。
【０００３】
この従来の柱脚構造２は、図１４に示すように、その鉄骨柱４に曲げモーメントＭ等の荷重が加わることにより、この鉄骨柱４の下端部に固定された柱脚金物６が塑性変形したり、この柱脚金物６を固定する複数のアンカーボルト１４の一部が伸びて塑性変形したりした場合には、曲げモーメントＭ等の荷重の除去後に、図１５に示すように、柱脚金物６の一部（図中左端部）が基礎コンクリート１０の上面から浮いてしまったり、また、柱脚金物６の一部（図中右端部）とナット１６との間に隙間が生じたりしてしまうことになる。
【０００４】
このため、従来においては、柱脚構造に用いられる柱脚金物であって、その形状・構造を改良することにより、曲げモーメントＭ等の荷重を受けたときの変形量が小さくなるようにした柱脚金物があった（例えば、特許文献１参照）。
【０００５】
このような特許文献１に係る形状・構造の柱脚金物を用いれば、曲げモーメントＭ等の荷重を受けたときに、この柱脚金物自身の変形量を抑えることができることにより、上記したような柱脚金物６の弾塑性変形を軽減させて、柱脚構造全体の曲げ耐力を向上させることができる。
【特許文献１】特開２００５−３４４２８９号公報
【発明の開示】
【発明が解決しようとする課題】
【０００６】
しかしながら、上記特許文献１の柱脚金物を用いた柱脚構造の場合でも、アンカーボルトの塑性変形を防ぐことはできず、アンカーボルトが塑性変形すると、地震時の繰返しの力に対する抵抗が小さくなるという問題がある。
【０００７】
一方、建築構造物の柱脚構造としては、上記従来の柱脚構造２における柱脚金物６や、上記特許文献１の柱脚金物のような露出型の柱脚金物を用いた柱脚構造とは異なる、別の方式の、鉄骨柱の下端部を基礎コンクリート中に埋め込むようにした埋め込み型の柱脚構造があるが、その方式の柱脚構造の曲げ耐力は、露出型の柱脚金物を用いた柱脚構造よりも向上したものにすることができる。
【０００８】
ところが、上記埋め込み型の柱脚構造は、鉄骨柱の設置作業と、基礎配筋の設置作業を、別個に同時進行させることができないため、施工性がよくないので工期が長くなるという問題があった。
【０００９】
このように、露出型の柱脚金物を用いた柱脚構造は鉄骨柱の下端部を基礎コンクリート中に埋め込まなくともよいので施工性はよいが、曲げ耐力を向上させる上で問題があると共に、埋め込み型の柱脚構造は曲げ耐力を向上させることができるが、施工性がよくないという問題があった。
【００１０】
そこで本発明は、上記問題点に鑑みて、その曲げ耐力を向上させることと、その施工性を向上させることを両立させることができる柱脚構造を提供することを課題とするものである。
【課題を解決するための手段】
【００１１】
上記課題を解決するために、本発明による柱脚構造は、
建築構造物の柱を構成する筒状の柱部材と、
前記柱部材の下端面に接合し、前記柱部材の内部空間に連通する開口部が形成され、アンカーボルトを介して基礎コンクリート上面に設置される柱脚金物と、
上部が前記基礎コンクリート上方に突出し、下部が前記基礎コンクリート中に埋設される中間補強部材とを備え、
前記開口部を貫通して前記内部空間に挿入された前記中間補強部材の上部外周面と前記柱部材の内周面との間の空間にグラウト材が充填され、
前記中間補強部材の下部にはその下端部から上方に向かって伸びる開口部が形成され、この開口部に前記基礎コンクリート中に配筋された鉄筋が挿通されたことを特徴とするものである。
【００１２】
また、上記課題を解決するために、本発明による柱脚構造は、
建築構造物の柱を構成する筒状の柱部材と、
前記柱部材の下端面に接合し、前記柱部材の内部空間に連通する開口部が形成され、アンカーボルトを介して基礎コンクリート上面に設置される柱脚金物と、
上部が前記基礎コンクリート上方に突出し、下部が前記基礎コンクリート中に埋設される中間補強部材とを備え、
前記開口部を貫通して前記内部空間に挿入された前記中間補強部材の上部外周面と前記柱部材の内周面との間の空間にグラウト材が充填され、
前記中間補強部材の下部の下端部に下方に向かって伸びる複数の脚部が設けられ、前記複数の脚部同士の間に前記基礎コンクリート中に配筋された鉄筋が配筋されたことを特徴とするものである。
【００１３】
また、上記課題を解決するために、本発明による柱脚構造は、
建築構造物の柱を構成する筒状の柱部材と、
前記柱部材の下端面に接合し、前記柱部材の内部空間に連通する開口部が形成され、アンカーボルトを介して基礎コンクリート上面に設置される柱脚金物と、
上部が前記基礎コンクリート上方に突出し、下部が前記基礎コンクリート中に埋設される中間補強部材とを備え、
前記開口部を貫通して前記内部空間に挿入された前記中間補強部材の上部外周面と前記柱部材の内周面との間の空間にグラウト材が充填され、
前記中間補強部材に嵌合する嵌合孔を有し、前記基礎コンクリート中に配筋される鉄筋と連結する仲介連結部材を備えたことを特徴とするものである。
【００１４】
また、上記課題を解決するために、本発明による柱脚構造は、
建築構造物の柱を構成する筒状の柱部材と、
前記柱部材の下端面に接合し、前記柱部材の内部空間に連通する開口部が形成され、アンカーボルトを介して基礎コンクリート上面に設置される柱脚金物と、
上部が前記基礎コンクリート上方に突出し、下部が前記基礎コンクリート中に埋設される中間補強部材とを備え、
前記開口部を貫通して前記内部空間に挿入された前記中間補強部材の上部外周面と前記柱部材の内周面との間の空間にグラウト材が充填され、
前記中間補強部材が、前記基礎コンクリート中に配置された鉄骨部材に接合されていることを特徴とするものである。
【００１５】
また、本発明による柱脚構造は、前記柱脚金物は複数の平板状部材に分割された構成となっていることを特徴とするものである。
【発明の効果】
【００１６】
このような本発明の柱脚構造によれば、
建築構造物の柱を構成する筒状の柱部材と、
前記柱部材の下端面に接合し、前記柱部材の内部空間に連通する開口部が形成され、アンカーボルトを介して基礎コンクリート上面に設置される柱脚金物と、
上部が基礎コンクリート上方に突出し、下部が基礎コンクリート中に埋設される中間補強部材とを備え、
前記開口部を貫通して前記内部空間に挿入された前記中間補強部材の上部外周面と前記柱部材の内周面との間の空間にグラウト材が充填されていることにより、
その曲げ耐力を向上させることと、その施工性を向上させることを両立させることができる。
【００１７】
また、本発明の柱脚構造によれば、
前記柱脚金物が複数に分割された構成となっていることにより、
使用する材料の量を低減させることができる。
【００１８】
また、本発明の柱脚構造によれば、
前記中間補強部材は、前記内部空間に挿入される上部と、基礎コンクリート中に埋設される下部とでは、水平方向の断面形状が異なることにより、
配筋作業の施工性を向上させることができる。
【００１９】
また、本発明の柱脚構造によれば、
前記中間補強部材に嵌合する嵌合孔を有し、基礎コンクリート中に配筋される鉄筋と連結する仲介連結部材を備えたことにより、
配筋作業の施工性を向上させることができる。
【００２０】
また、本発明の柱脚構造によれば、
前記中間補強部材が、基礎コンクリート中に配置された鉄骨部材に接合されていることにより、
その曲げ耐力をさらに向上させることができる。
【発明を実施するための最良の形態】
【００２１】
以下、本発明に係る柱脚構造を実施するための最良の形態について、図面に基づいて具体的に説明する。
図１から図３は、本発明の第１の実施の形態に係る柱脚構造２０について説明するために参照する図である。
【００２２】
本実施の形態に係る柱脚構造２０は、図１及び図２に示すように、その角筒形状の鋼管柱２２（柱部材）を、基礎コンクリート２４上に立設するようになっている。柱脚構造２０は、鋼管柱２２と共に、柱脚金物２６、４本のアンカーボルト２８、及び内挿鋼管部３０（中間補強部材）を備えている。
【００２３】
柱脚構造２０の柱脚金物２６は、枠板状であって、その平面形状が略正方形状に形成されている。この柱脚金物２６は、その上面上に鋼管柱２２の下端面が突き当てられた状態で、この鋼管柱２２の下端部に溶接により接合されている。
【００２４】
また、柱脚金物２６の中央部には、鋼管柱２２の内部に連通する円形状の開口部３２が形成されている。また、柱脚金物２６には、その平面形状の四隅のそれぞれに、図３に示すように、アンカーボルト２８の上端部を通すためのボルト用孔３６が形成されている。柱脚金物２６は、基礎コンクリート２４上であって内挿鋼管部３０の周囲に形成され、柱脚金物２６の周囲に張り出した、高さ調節等のためのモルタル層３４の上に載置されている。
【００２５】
アンカーボルト２８のそれぞれには、その上端部と下端部のそれぞれに、おねじ２８ａ，２８ｂが形成されている。アンカーボルト２８のそれぞれは、その上端部側のおねじ２８ａを含む一定長さ部分が、モルタル層３４よりも上方に突出し、この一定長さ部分以外の下方の長さ部分が、モルタル層３４及び基礎コンクリート２４中に埋め込まれている。
【００２６】
アンカーボルト２８のそれぞれのおねじ２８ａは、柱脚金物２６の四隅内側のボルト用孔３６のそれぞれを貫通するようになっている。柱脚金物２６は、このようなアンカーボルト２８のおねじ２８ａに、座金３８が通された後に、２個のナット４０が締め付けられることにより、モルタル層３４の上に堅固に固定されるようになっている。
【００２７】
また、アンカーボルト２８の下端部には、鍔状の定着板４２が固定されている。この定着板４２は、その中央部に形成された孔がアンカーボルト２８のおねじ２８ｂに嵌合した状態で、このおねじ２８ｂにめねじが形成された２つのナット４０がねじ締結されることにより、上下に挟まれて固定されている。
【００２８】
次に、図１に示すように、柱脚構造２０の内挿鋼管部３０は、円筒形状であって上下方向に長さを有する円筒部４４と、この円筒部４４の上下端部を閉止する円板状の上蓋４６および底蓋４８を備えて構成されている。内挿鋼管部３０の上蓋４６には、この内挿鋼管部３０の内部空間に連通するガス抜き用孔４９が形成されている。
【００２９】
この内挿鋼管部３０は、その下部が、モルタル層３４及び基礎コンクリート２４中に埋め込まれている。そして、この内挿鋼管部３０の上部は、柱脚金物２６の開口部３２を貫通し、鋼管柱２２の下端部内側に挿入されている。また、鋼管柱２２の内周面と、内挿鋼管部３０の円筒部４４の外周面との間には、モルタルやコンクリートなどのグラウト材５０が充填されている。
ここで、グラウト材とは、一般に、建設工事において空洞、空隙、隙間などの空間を埋めるために注入する流動体のことをいうものとする。
【００３０】
この柱脚構造２０の設置作業は、以下のように行なわれる。
まず、アンカーボルト２８の下端部側のおねじ２８ｂに、定着板４２と２つのナット４０を取り付けた後、このアンカーボルト２８の上端部以外の長さ部分と、内挿鋼管部３０のほぼ下側半分の長さ部分とが、基礎コンクリート２４中に埋め込まれるように、流動状態のコンクリートを打設する。
【００３１】
次に、基礎コンクリート２４の固化後に、この基礎コンクリート２４上であって内挿鋼管部３０の円筒部４４の周囲にモルタル層３４を形成し、予め柱脚金物２６を接合しておいた鋼管柱２２を内挿鋼管部３０の上方からかぶせるように降ろして、その柱脚金物２６をモルタル層３４上に設置する。
【００３２】
このとき、内挿鋼管部３０のモルタル層３４よりも上側に突出する部分が、柱脚金物２６の開口部３２を貫通し、鋼管柱２２の下端部の内側に挿入されるようにすると共に、アンカーボルト２８のおねじ２８ａのそれぞれが、柱脚金物２６のボルト用孔３６（図３参照）に貫通するように、鋼管柱２２及び柱脚金物２６を設置する。
【００３３】
そして、アンカーボルト２８のおねじ２８ａのそれぞれに、座金３８と２つのナット４０（ダブルナット）を締付けることにより、柱脚金物２６をモルタル層３４上に固定する。また、図１に示すように、鋼管柱２２の内周面と、上記円筒部４４の外周面との間に、グラウト材５０を充填する。このグラウト材５０は、鋼管柱２２における不図示の上端部の開口部、又はこの鋼管柱２２における高さ方向の途中位置に設けた不図示の注入口から注入される。
【００３４】
このような本実施の形態に係る柱脚構造２０によれば、その鋼管柱２２に加わる曲げモーメント等の荷重が、グラウト材５０及び内挿鋼管部３０を介して基礎コンクリート２４に伝達されるようになるので、柱脚構造２０の曲げ耐力を向上させることができる。
【００３５】
また、本実施の形態に係る柱脚構造２０によれば、その曲げ耐力を向上させるための手法として、埋め込み型の柱脚構造のように鋼管柱２２の下端部を基礎コンクリート２４中に埋め込む必要が無いので、その施工性を向上させることができる。
【００３６】
また、本実施の形態に係る柱脚構造２０によれば、強度の小さいアンカーボルト２８でも柱脚構造２０の曲げ耐力を向上させることができるので、柱脚金物２６の厚さを薄くすることもできる。
【００３７】
次に、図４は、本発明の第２の実施の形態に係る柱脚構造５２について説明するために参照する図である。前記第１の実施の形態に係る柱脚構造２０と同様の部分には同じ符号を用いて説明し、同様の構成についての重複する説明は省略するものとする。
【００３８】
本実施の形態に係る柱脚構造５２は、前記第１の実施の形態に係る柱脚構造２０の内挿鋼管部３０と異なる、図４に示すような、内挿鋼管部５４を備えている。この内挿鋼管部５４は、円筒部４４だけを備えていて、円筒部４４の上下端部は閉止されないように開放されている。
【００３９】
これにより、柱脚構造５２の内挿鋼管部５４の内部には、この内挿鋼管部５４の円筒部４４の外側の基礎コンクリート２４の上面の高さと同じ高さまで、基礎コンクリート２４が充填されるようになっている。
【００４０】
また、内挿鋼管部５４の内部における基礎コンクリート２４の上面の上側の部分には、内挿鋼管部５４の外周面と鋼管柱２２の内周面との間に充填されたグラウト材５０と同じグラウト材が用いられている。
【００４１】
このような本実施の形態に係る柱脚構造５２によれば、前記第１の実施の形態と同様に、その曲げ耐力を向上させることと、その施工性を向上させることを両立させることができる
【００４２】
また、本実施の形態に係る柱脚構造５２によれば、その内挿鋼管部５４の内部に基礎コンクリート２４とグラウト材５０が充填されて固化するので、その曲げ耐力を更に向上させることができる。
【００４３】
次に、図５は、本発明の第３の実施の形態に係る柱脚構造５６について説明するために参照する図である。前記第１の実施の形態に係る柱脚構造２０と同様の部分には同じ符号を用いて説明し、同様の構成についての重複する説明は省略するものとする。
【００４４】
本実施の形態に係る柱脚構造５６は、前記第１の実施の形態に係る柱脚構造２０の柱脚金物２６の代わりに、図５に示すような、柱脚金物５８を備えている。この柱脚金物５８は、４つの平板５８ａ，５８ｂ，５８ｃ，５８ｄに分割されて構成されている。
【００４５】
柱脚金物５８の平板５８ａ，５８ｂ，５８ｃ，５８ｄのそれぞれは、縦横２列に配置され、この配置された領域の中心側に開口部６０が形成されるように、平板５８ａ，５８ｂ，５８ｃ，５８ｄのそれぞれの正方形の四つの角部のうちの、開口部６０側の一つの角部が大きく切り欠かれた形状に形成されている。すなわち、このように四つの角部のうちの一つの角部が大きく切り欠かれた切欠形状が四つの平板毎に計四つあり、これらの四つの切欠形状が互いに寄せ集められて、各平板が縦横２列に配置された上記領域の中心側に開口部６０が形成されている。
【００４６】
柱脚金物５８の平板５８ａ，５８ｂ，５８ｃ，５８ｄのそれぞれは、鋼管柱２２の下端部に溶接により接合されている。平板５８ａ，５８ｂ，５８ｃ，５８ｄ同士は、溶接により、互いに接合されていてもよいし、接合されていなくてもよい。図５は、平板５８ａ，５８ｂ，５８ｃ，５８ｄが互いに接合されていない場合を示している。
【００４７】
このような本実施の形態に係る柱脚構造５６によれば、前記第１の実施の形態と同様に、その曲げ耐力を向上させることと、その施工性を向上させることを両立させることができる。
【００４８】
また、本実施の形態に係る柱脚構造５６によれば、その柱脚金物５８が、平板５８ａ，５８ｂ，５８ｃ，５８ｄに分割されていることにより、この柱脚金物５８の製造や搬送が容易になると共に、使用する材料の量を低減させることができる。
【００４９】
次に、図６及び図７は、本発明の第４の実施の形態に係る柱脚構造６０について説明するために参照する図である。前記第１の実施の形態に係る柱脚構造２０と同様の部分には同じ符号を用いて説明し、同様の構成についての重複する説明は省略するものとする。
【００５０】
本実施の形態に係る柱脚構造６０においては、図６に示すように、基礎コンクリート２４中に、柱脚構造６０のアンカーボルト２８同士の間を通る複数の主鉄筋６８が埋め込まれている。この複数の主鉄筋６８は、上下２段に４本ずつ分かれて配置され、この上下２段それぞれの４本ずつが、図６中の左右方向に間隔を置いて互いに平行に並んで、図紙面に垂直の方向に伸びるように配置されている。
【００５１】
また、本実施の形態に係る柱脚構造６０は、前記第１の実施の形態に係る柱脚構造２０の内挿鋼管部３０と異なる内挿鋼管部６２を備えている。この内挿鋼管部６２は、円筒部６４と、この円筒部６４の上端部を閉止する上蓋４６とを備えて構成されている。
【００５２】
この内挿鋼管部６２の円筒部６４には、図６及び図７に示すように、その下端部から上側方向に向かって伸びる計４本のスリット６６が形成されている。これにより、内挿鋼管部６２は、基礎コンクリート２４の上面よりも上方に突出する円筒部６４の水平断面の円環状の形状と、基礎コンクリート２４中における上段の４本の主鉄筋６８よりも下側の円筒部６４の、図７に示す水平断面のような、４つの切れ目がある円環状の形状とが、互いに異なるように形成されている。
【００５３】
また、内挿鋼管部６２の計４本のスリット６６は、図７に示すように、この図７中の上下方向に対向するもの同士のそれぞれが一対をなすように配置されている。このように一対をなすスリット６６同士の対向方向は、主鉄筋６８の伸びる方向と一致するようになっている。
【００５４】
これにより、内挿鋼管部６２のスリット６６のそれぞれは、その内側を主鉄筋６８が通り抜けられるようになっている。すなわち、図６及び図７に示すように、基礎コンクリート２４中における上段の４本の主鉄筋６８のうちの内側の２本のそれぞれは、柱脚構造６０における内挿鋼管部６２のスリット６６内を通り抜けるようになっている。
【００５５】
また、基礎コンクリート２４中における上段の４本の主鉄筋６８のうちの両外側の２本のそれぞれは、柱脚構造６０における内挿鋼管部６２と、この内挿鋼管部６２の両外側のアンカーボルト２８との間のそれぞれの空間を通り抜けるようになっている。
【００５６】
このような本実施の形態に係る柱脚構造６０によれば、前記第１の実施の形態と同様に、その曲げ耐力を向上させることと、その施工性を向上させることを両立させることができる。
【００５７】
また、本実施の形態に係る柱脚構造６０によれば、その内挿鋼管部６２の基礎コンクリート２４中に埋め込まれる部分が、基礎コンクリート２４中の主鉄筋６８と互いに干渉しないようになっているので、配筋作業の施工性を向上させることができる。
【００５８】
次に、図８及び図９は、本発明の第５の実施の形態に係る柱脚構造７０について説明するために参照する図である。前記第４の実施の形態に係る柱脚構造６０と同様の部分には同じ符号を用いて説明し、同様の構成についての重複する説明は省略するものとする。
【００５９】
本実施の形態に係る柱脚構造７０においては、前記第４の実施の形態に係る柱脚構造６０の内挿鋼管部６２の代わりに、図８及び図９に示すように、内挿鋼管部７４を備えている。この内挿鋼管部７４は、円筒部７２、上蓋４６、水平板７６、及び４本の脚部７８（鉄骨部材）を備えて構成されている。
【００６０】
この内挿鋼管部７４の水平板７６は、その平面形状が略正方形であって、円筒部７２の下端面を閉止するように、その上面が円筒部７２の下端面に溶接により接合されている。また、内挿鋼管部７４の４本の脚部７８のそれぞれは、上下方向に長さを有し、この長さ方向に直角の断面がＬ字型に形成され、その長さ上端部が、水平板７６の下面の四隅部のそれぞれに、溶接により接合されている。
【００６１】
これにより、内挿鋼管部７４は、図示しないが、基礎コンクリート２４の上面よりも上方に突出する円筒部７２の部分の水平断面の円環形状と、基礎コンクリート２４中における上段の４本の主鉄筋６８よりも下側の、脚部７８の部分の水平断面の、図９に示すようなＬ字型の形状とが、互いに異なるように形成されている。
【００６２】
これにより、基礎コンクリート２４中における上段の４本の主鉄筋６８のうちの内側の２本は、柱脚構造７０における内挿鋼管部７４の脚部７８同士の間を通り抜けるようになっている。また、基礎コンクリート２４中における上段の４本の主鉄筋６８のうちの両外側の２本のそれぞれは、柱脚構造７０における内挿鋼管部７４の脚部７８とアンカーボルト２８との間を通り抜けるようになっている。
【００６３】
このような本実施の形態に係る柱脚構造７０によれば、前記第４の実施の形態と同様に、その曲げ耐力を向上させることと、その施工性を向上させることを両立させることができる。
【００６４】
また、本実施の形態に係る柱脚構造７０によれば、その内挿鋼管部７４の基礎コンクリート２４中に埋め込まれる脚部７８の部分が、基礎コンクリート２４中の主鉄筋６８と互いに干渉しないようになっているので、配筋作業の施工性を向上させることができる。
【００６５】
次に、図１０及び図１１は、本発明の第６の実施の形態に係る柱脚構造８０について説明するために参照する図である。前記第１の実施の形態に係る柱脚構造２０と同様の部分には同じ符号を用いて説明し、同様の構成についての重複する説明は省略するものとする。
【００６６】
本実施の形態に係る柱脚構造８０においては、図１０及び図１１に示すように、基礎コンクリート２４中であってこの柱脚構造８０の左右両側のそれぞれに、主鉄筋８４が４本ずつ計８本が配置されている。この柱脚構造８０の左右それぞれの８本の主鉄筋８４は、上段と下段に８本ずつ分かれて配置されている。
【００６７】
そして、この上段及び下段のそれぞれの８本の主鉄筋８４は、図１０及び図１１中において左右方向に４本ずつ伸びるように配置され、水平にほぼ等間隔で互いに平行に並んで配置されている。この主鉄筋８４のそれぞれには、その端部８４ａの外周におねじが形成されており、後述する仲介連結部材８６のめねじ８６ｂとねじ締結するようになっている。
【００６８】
また、本実施の形態に係る柱脚構造８０は、前記第１の実施の形態に係る柱脚構造２０の内挿鋼管部３０の代わりに、内挿鋼管部８２を備えている。この内挿鋼管部８２は、前記第１の実施の形態に係る柱脚構造２０の内挿鋼管部３０の円筒部４４よりも、その上下方向の長さが長く形成された円筒部８８を備えている。
【００６９】
また、本実施の形態に係る柱脚構造８０は、基礎コンクリート２４中において上下に互いに離れて配置される２枚の仲介連結部材８６を備えている。この２枚の仲介連結部材８６のそれぞれは、図１１に示すように、その平面形状が略正方形状であって、その略中央部に、内挿鋼管部８２が嵌合する嵌合孔８６ａが形成されている。
【００７０】
これにより、２枚の仲介連結部材８６のそれぞれは、内挿鋼管部８２における長さ方向の中間位置及び下端部寄りの位置のそれぞれに嵌合した状態で、この内挿鋼管部８２に溶接されて固定されている。
【００７１】
また、仲介連結部材８６には、図１０及び図１１中の左右の両端部にめねじ８６ｂが４つずつ形成されている。この仲介連結部材８６のめねじ８６ｂのそれぞれには、主鉄筋８４の端部８４ａのおねじがねじ締結している。
【００７２】
このような本実施の形態に係る柱脚構造８０によれば、前記第１の実施の形態と同様に、その曲げ耐力を向上させることと、その施工性を向上させることを両立させることができる。
【００７３】
また、本実施の形態に係る柱脚構造８０によれば、その内挿鋼管部８２が仲介連結部材８６を介して主鉄筋８４に連結しているので、配筋作業の施工性を向上させることができる。
【００７４】
次に、図１２は、本発明の第７の実施の形態に係る柱脚構造９０について説明するために参照する図である。前記第１の実施の形態に係る柱脚構造２０と同様の部分には同じ符号を用いて説明し、同様の構成についての重複する説明は省略するものとする。
【００７５】
本実施の形態に係る柱脚構造９０おいては、図１２に示すように、基礎コンクリート２４中に、図１２の紙面に垂直の方向に伸びて、この柱脚構造９０のアンカーボルト２８同士の間を通るように配置される、Ｈ形鋼の鉄骨梁９４（鉄骨部材）が埋め込まれている。
【００７６】
また、本実施の形態に係る柱脚構造９０は、前記第１の実施の形態に係る柱脚構造２０の内挿鋼管部３０の代わりに、内挿鋼管部９２を備えている。この内挿鋼管部９２は、円筒部９６と、この円筒部９６の上端部を閉止する上蓋４６とを備えている。また、内挿鋼管部９２の円筒部９６の下端面は、鉄骨梁９４の上面に接合し、溶接により固定されている。
【００７７】
このような本実施の形態に係る柱脚構造９０によれば、前記第１の実施の形態と同様に、その曲げ耐力を向上させることと、その施工性を向上させることを両立させることができる。
【００７８】
また、本実施の形態に係る柱脚構造９０によれば、その内挿鋼管部９２が鉄骨梁９４に接合されているので、柱脚構造９０の曲げ耐力を更に向上させることができる。
【００７９】
なお、前記第１から第７の実施の形態に係る柱脚構造２０，５２，５６，６０，７０，８０，９０においては、鋼管柱２２として、その長さ方向に直角の水平断面が略正方形である角筒形状のものが用いられていたが、異なる断面形状の鋼管柱が用いられるようになっていても良い。例えば、上記水平断面形状が円形である円筒形状のものが用いられるようになっていてもよい。
【００８０】
また、前記第１から第７の実施の形態に係る柱脚構造２０，５２，５６，６０，７０，８０，９０においては、モルタル層３４が設けられ、このモルタル層３４の上に柱脚金物２６，５８が載置されるようになっていたが、モルタル層３４を設けずに、柱脚金物２６，５８が、基礎コンクリート２４の上面上に直接載置されるようになっていてもよい。
【００８１】
また、前記第３から第７の実施の形態に係る柱脚構造５６，６０，７０，８０，９０においては、その内挿鋼管部３０，６２，７２，８２，９２が、上蓋４６を備えるようになっていたが、前記第２の実施の形態に係る柱脚構造５２の内挿鋼管部５４と同様に、上蓋４６を備えないようになっていてもよい。
【００８２】
また、前記第３及び第６の実施の形態に係る柱脚構造５６，８０においては、その内挿鋼管部３０，８２が底蓋４８を備えるようになっていたが、前記第２の実施の形態に係る柱脚構造５２の内挿鋼管部５４と同様に、底蓋４８を備えないようになっていてもよい。
【００８３】
また、前記第１から第７の実施の形態に係る柱脚構造２０，５２，５６，６０，７０，８０，９０においては、その内挿鋼管部３０，５４，６２，７２，８２，９２に、円筒形状の円筒部４４，６４，７４，８８，９６が用いられていたが、この円筒部が用いられていた部位に、円筒形状以外の他の形状の部材を用いるようにしても良い。例えば、角筒形状の部材、或いは、Ｈ形鋼やＬ形鋼などの部材を用いるようにしてもよい。
【００８４】
また、前記第１から第７の実施の形態に係る柱脚構造２０，５２，５６，６０，７０，８０，９０においては、そのアンカーボルト２８における柱脚金物２６の下面から定着板４２までの長さ部分の周面が、基礎コンクリート２４に直接接触するようになっていたが、かかる長さ部分が、筒形状の鞘に覆われるようにすることにより、基礎コンクリート２４に直接接触しないようになっていてもよい。
【００８５】
また、前記第６の実施の形態に係る柱脚構造８０においては、その仲介連結部材８６に、主鉄筋８４の端部８４ａがねじ締結することにより連結するようになっていたが、ねじ締結以外の方法により連結されるようになっていてもよい。
【００８６】
また、前記第１及び第２並びに第４から第７の実施の形態に係る柱脚構造２０，５２，６０，７０，８０，９０においては、その柱脚金物２６が、一体的な１枚の板状に形成されていたが、前記第３の実施の形態に係る柱脚構造５６の柱脚金物５８と同様に、分割して形成されていてもよい。
【００８７】
また、前記第７の実施の形態に係る柱脚構造９０においては、図１２に示すように、基礎コンクリート２４中に鉄骨梁９４だけが埋め込まれていたが、鉄骨梁９４と共に不図示の主鉄筋が埋め込まれていてもよい。
【００８８】
また、このような場合であって、この不図示の主鉄筋が、柱脚金物２６と鉄骨梁９４との間を通るように配置されているような場合には、柱脚構造９０の内挿鋼管部９２に、前記第４の実施の形態に係る柱脚構造６０における内挿鋼管部６２のスリット６６と同様のスリットが形成されるようになっていてもよい。
【００８９】
或いは、基礎コンクリート２４中に鉄骨梁９４と不図示の主鉄筋とが埋め込まれる場合であって、この不図示の主鉄筋の端部が、柱脚構造９０の左右に配置されるようになる場合には、柱脚構造９０の内挿鋼管部９２と、基礎コンクリート２４中の不図示の鉄筋とが、前記第６の実施の形態に係る柱脚構造８０の仲介連結部材８６に相当するものを介して連結されるようになっていてもよい。
【００９０】
また、前記第１の実施の形態に係る柱脚構造２０においては、鉄骨柱２２の内周面や、内挿鋼管部３０の円筒部４４の外周面が単一面により形成されていたが、鉄骨柱２２の内周面や内挿鋼管部３０の外周面に、凹凸部を形成したり、付加して設けたりしてもよい。
【００９１】
また、前記実施の形態に係る柱脚構造においては、中間補強部材として、内挿鋼管部のような筒状部材を用いた場合について説明したが、棒状の中実部材あるいはＨ形鋼、Ｌ形鋼などを用いてもよく、またその材質も鋼材に限定する必要は無く、他の金属や合成樹脂等の、どのような材質を用いてもよい。
【図面の簡単な説明】
【００９２】
【図１】本発明の第１の実施の形態に係る柱脚構造２０を示す側面断面図である。
【図２】本発明の第１の実施の形態に係る柱脚構造２０を示す上面図である。
【図３】図２に示す柱脚構造２０のＡ−Ａ線矢視の部分断面側面図である。
【図４】本発明の第２の実施の形態に係る柱脚構造５２を示す側面断面図である。
【図５】本発明の第３の実施の形態に係る柱脚構造５６を示す上面図である。
【図６】本発明の第４の実施の形態に係る柱脚構造６０を示す側面断面図である。
【図７】図６に示す柱脚構造６０のＢ−Ｂ線矢視の部分断面側面図である。
【図８】本発明の第５の実施の形態に係る柱脚構造７０を示す側面断面図である。
【図９】図８に示す柱脚構造７０のＣ−Ｃ線矢視の部分断面側面図である。
【図１０】本発明の第６の実施の形態に係る柱脚構造８０を示す側面断面図である。
【図１１】図１０に示す柱脚構造８０のＤ−Ｄ線矢視の部分断面側面図である。
【図１２】本発明の第７の実施の形態に係る柱脚構造９０を示す側面断面図である。
【図１３】従来の柱脚構造２を示す側面図である。
【図１４】従来の柱脚構造２を示す側面図である。
【図１５】従来の柱脚構造２を示す側面図である。
【符号の説明】
【００９３】
２  柱脚構造
４  鉄骨柱
６  柱脚金物
８  ボルト用孔
１０  基礎コンクリート
１４  アンカーボルト
１６  ナット
２０  柱脚構造
２２  鋼管柱
２４  基礎コンクリート
２６  柱脚金物
２８  アンカーボルト
２８ａ，２８ｂ  雄ネジ
３０  内挿鋼管部
３２  開口部
３４  モルタル層
３６  ボルト用孔
３８  座金
４０  ナット
４２  定着板
４４  円筒部
４６  上蓋
４８  底蓋
４９  ガス抜き用孔
５０  グラウト材
５２  柱脚構造
５４  内挿鋼管部
５６  柱脚構造
５８  柱脚金物
５８ａ，５８ｂ，５８ｃ，５８ｄ  平板
６０  柱脚構造
６２  内挿鋼管部
６４  円筒部
６６  スリット
６８  主鉄筋
７０  柱脚構造
７２  内挿鋼管部
７４  円管部
７６  水平板
７８  脚部
８０  柱脚構造
８２  内挿鋼管部
８４  主鉄筋
８４ａ  端部
８６  仲介連結部材
８６ａ  嵌合孔
８６ｂ  雌ネジ
８８  円筒部
９０  柱脚構造
９２  内挿鋼管部
９４  鉄骨梁
９６  円筒部  
【図１】
0005183272.tif 000002
【図２】
0005183272.tif 000003
【図３】
0005183272.tif 000004
【図４】
0005183272.tif 000005
【図５】
0005183272.tif 000006
【図６】
0005183272.tif 000007
【図７】
0005183272.tif 000008
【図８】
0005183272.tif 000009
【図９】
0005183272.tif 000010
【図１０】
0005183272.tif 000011
【図１１】
0005183272.tif 000012
【図１２】
0005183272.tif 000013
【図１３】
0005183272.tif 000014
【図１４】
0005183272.tif 000015
【図１５】
0005183272.tif 000016